(57)【特許請求の範囲】
【請求項１】
主体を含み、前記主体の中には昇降空間が設置され、前記昇降空間の中には昇降体がスライド可能に連結され、前記昇降体の中には横空間が設置され、前記横空間の頂壁には底辺空間が左右対称的に設置され、前記底辺空間の上側には液圧空間が設置され、前記液圧空間の下側は空気空間と連通し、前記空気空間の後側壁には前記昇降体の後側面と連通する通気孔が設置され、前記昇降空間と前記空気空間との間には調整装置が設置され、前記調整装置は装着前に調整を行い、
前記調整装置は前記空気空間と前記液圧空間との連通部に固定的に装着された三ポート弁を含み、前記空気空間の中には液圧板がスライド可能に連結され、前記液圧空間の底壁と前記底辺空間との間にはＺ型ブロックが左右対称的に、且つスライド可能に連結され、各前記Ｚ型ブロックの下側には前記横空間の内壁とスライド可能に連結されたスライダが左右対称的に、且つ固定的に連結され、各前記スライダの中にはスライド空間が設置され、二つの前記スライド空間の間には工型ブロックがスライド可能に連結され、前記工型ブロックと各前記スライド空間の片側壁との間には復帰ばねが連結され、前記スライダには側辺ブロックが左右対称的に、且つ固定的に設置され、
各前記液圧空間の下側には下側ブロックが固定的に設置され、各前記液圧空間の中には側辺空間が前後対称的に設置され、二つの前記側辺空間の間にはプーリ空間が設置され、前記下側ブロックの中には前記プーリ空間と連通する開口空間が設置され、前記開口空間と前記プーリ空間との間には装着装置が設置され、前記主体の下側には前側ローラ空間が左右対称的に設置され、前記主体の後側には後側ローラ空間が設置され、前記後側ローラ空間と前記昇降空間との間には補助装置が設置されていることを特徴とする変圧器取付用腕金の取付装置。
【請求項２】
前記装着装置は前記プーリ空間の前後側壁に回転可能に連結されたネジ山軸を含み、前記ネジ山軸は両側へ伸びて前記側辺空間の中に入り、且つ両側の前記側辺空間において前記プーリ空間から離れた側壁と回転可能に連結され、前記開口空間の前後側壁には前記ネジ山軸と対応した回転軸が回転可能に連結され、前記回転軸と前記ネジ山軸にはプーリが上下対称的に、且つ固定的に設置され、二つの前記プーリの間にはベルトが連結され、前記回転軸には電信柱と接触するゴム輪が固定的に設置され、前記ネジ山軸にはスクリューが前後対称的に、且つ固定的に設置され、各前記スクリューには装着体が噛み合い、前記装着体は前記側辺空間とスライド可能に連結され、後側の前記装着体の中にはばね空間が設置され、前記ばね空間の前側壁と前記装着体の前側面との間には挟みブロックがスライド可能に連結され、前記挟みブロックは腕金の一端を固定でき、前記挟みブロックの側面と前記ばね空間の前側壁との間には圧迫ばねが上下対称的に連結され、前側の前記装着体の中にはスプロケット空間が設置され、前記スプロケット空間の後側には装着モータが固定的に設置され、前記装着モータの後側にはモータ軸が伝動可能に連結され、前記モータ軸は前記スプロケット空間の後側壁と回転可能に連結され、前記モータ軸は後方へ伸びて前記側辺空間の中に入り、且つ前側の前記装着体の後側面と回転可能に連結され、前記スプロケット空間の前後側壁には三つのスプロケット軸が回転可能に連結され、三つの前記スプロケット軸は前記モータ軸に対応し、前記スプロケット軸は後方へ伸びて前記側辺空間の中に入り、且つ前側の前記装着体の後側面と回転可能に連結され、三つの前記スプロケット軸と前記モータ軸とは矩形であり、前記モータ軸と前記スプロケット軸には四つのスプロケットが対応するように固定的に設置され、四つの前記スプロケットの間にはチェーンが連結され、前記モータ軸と前記スプロケット軸の後側にはネジを置くことができる磁性ブロックが固定的に設置されていることを特徴とする請求項１に記載の変圧器取付用腕金の取付装置。
【請求項３】
前記補助装置は前記昇降空間の底壁に固定的に装着された昇降電動機を含み、前記昇降電動機の上側には前記昇降体とネジ山で連結された昇降軸が伝動可能に連結され、右側の前記前側ローラ空間の右側壁にはローラモータが固定的に設置され、前記ローラモータの左側には動力軸が伝動可能に連結され、前記動力軸は右側の前記前側ローラ空間の左側壁と回転可能に連結され、前記動力軸は左方へ伸びて左側の前記前側ローラ空間の中に入り、且つ左側の前記前側ローラ空間の左右側壁と回転可能に連結され、前記後側ローラ空間の左右側壁にはローラ軸が回転可能に連結され、前記ローラ軸には後側ローラが固定的に設置されていることを特徴とする請求項１に記載の変圧器取付用腕金の取付装置。
【請求項４】
前記ゴム輪は比較的に大きい摩擦力があることを特徴とする請求項２に記載の変圧器取付用腕金の取付装置。
【請求項５】
前記圧迫ばねは終始圧縮状態にあることを特徴とする請求項２に記載の変圧器取付用腕金の取付装置。
【発明の詳細な説明】
【技術分野】
【０００１】
本願発明は変圧器分野を取り上げて、具体的には変圧器取付用腕金の取付装置である。
【背景技術】
【０００２】
現在、社会の発展に伴い、住宅用建物が増え、家電製品の知能化がますます普遍的になっていき、また、より多くの遠隔地においてもハイパワーの電気ケーブルを接続し始めるようになるため、大量の変圧器を配置する必要があり、変圧器を配置するための腕金は特に重要であり、今まで腕金は主に作業員が電信柱を登って装着され、登りと装着の作業において極大のリスクが潜んでおり、そのため、変圧器取付用腕金の取付装置の設計が必要になる。
【先行技術文献】
【特許文献】
【０００３】
【特許文献１】中国特許出願公開第１０２２８０２４２号明細書
【発明の概要】
【発明が解決しようとする課題】
【０００４】
本願発明は変圧器取付用腕金の取付装置を提供し、上記背景技術において提出された問題を解決することを目的とする。
【課題を解決するための手段】
【０００５】
上記の問題を解決するために、以下の技術プランを提供する：変圧器取付用腕金の取付装置は、主体を含み、前記主体の中には昇降空間が設置され、前記昇降空間の中には昇降体がスライド可能に連結され、前記昇降体の中には横空間が設置され、前記横空間の頂壁には底辺空間が左右対称的に設置され、前記底辺空間の上側には液圧空間が設置され、前記液圧空間の下側は空気空間と連通し、前記空気空間の後側壁には前記昇降体の後側面と連通する通気孔が設置され、前記昇降空間と前記空気空間との間には調整装置が設置され、前記調整装置は装着前に調整を行い、
前記調整装置は前記空気空間と前記液圧空間との連通部に固定的に装着された三ポート弁を含み、前記空気空間の中には液圧板がスライド可能に連結され、前記液圧空間の底壁と前記底辺空間との間にはＺ型ブロックが左右対称的に、且つスライド可能に連結され、各前記Ｚ型ブロックの下側には前記横空間の内壁とスライド可能に連結されたスライダが左右対称的に、且つ固定的に連結され、各前記スライダの中にはスライド空間が設置され、二つの前記スライド空間の間には工型ブロックがスライド可能に連結され、前記工型ブロックと各前記スライド空間の片側壁との間には復帰ばねが連結され、前記スライダには側辺ブロックが左右対称的に、且つ固定的に設置され、
各前記液圧空間の下側には下側ブロックが固定的に設置され、各前記液圧空間の中には側辺空間が前後対称的に設置され、二つの前記側辺空間の間にはプーリ空間が設置され、前記下側ブロックの中には前記プーリ空間と連通する開口空間が設置され、前記開口空間と前記プーリ空間との間には装着装置が設置され、前記主体の下側には前側ローラ空間が左右対称的に設置され、前記主体の後側には後側ローラ空間が設置され、前記後側ローラ空間と前記昇降空間との間には補助装置が設置されている。
【０００６】
好ましくは、前記装着装置は前記プーリ空間の前後側壁に回転可能に連結されたネジ山軸を含み、前記ネジ山軸は両側へ伸びて前記側辺空間の中に入り、且つ両側の前記側辺空間において前記プーリ空間から離れた側壁と回転可能に連結され、前記開口空間の前後側壁には前記ネジ山軸と対応した回転軸が回転可能に連結され、前記回転軸と前記ネジ山軸にはプーリが上下対称的に、且つ固定的に設置され、二つの前記プーリの間にはベルトが連結され、前記回転軸には電信柱と接触するゴム輪が固定的に設置され、前記ネジ山軸にはスクリューが前後対称的に、且つ固定的に設置され、各前記スクリューには装着体が噛み合い、前記装着体は前記側辺空間とスライド可能に連結され、後側の前記装着体の中にはばね空間が設置され、前記ばね空間の前側壁と前記装着体の前側面との間には挟みブロックがスライド可能に連結され、前記挟みブロックは腕金の一端を固定でき、前記挟みブロックの側面と前記ばね空間の前側壁との間には圧迫ばねが上下対称的に連結され、前側の前記装着体の中にはスプロケット空間が設置され、前記スプロケット空間の後側には装着モータが固定的に設置され、前記装着モータの後側にはモータ軸が伝動可能に連結され、前記モータ軸は前記スプロケット空間の後側壁と回転可能に連結され、前記モータ軸は後方へ伸びて前記側辺空間の中に入り、且つ前側の前記装着体の後側面と回転可能に連結され、前記スプロケット空間の前後側壁には三つのスプロケット軸が回転可能に連結され、三つの前記スプロケット軸は前記モータ軸に対応し、前記スプロケット軸は後方へ伸びて前記側辺空間の中に入り、且つ前側の前記装着体の後側面と回転可能に連結され、三つの前記スプロケット軸と前記モータ軸とは矩形であり、前記モータ軸と前記スプロケット軸には四つのスプロケットが対応するように固定的に設置され、四つの前記スプロケットの間にはチェーンが連結され、前記モータ軸と前記スプロケット軸の後側にはネジを置くことができる磁性ブロックが固定的に設置されている。
【０００７】
好ましくは、前記補助装置は前記昇降空間の底壁に固定的に装着された昇降電動機を含み、前記昇降電動機の上側には前記昇降体とネジ山で連結された昇降軸が伝動可能に連結され、右側の前記前側ローラ空間の右側壁にはローラモータが固定的に設置され、前記ローラモータの左側には動力軸が伝動可能に連結され、前記動力軸は右側の前記前側ローラ空間の左側壁と回転可能に連結され、前記動力軸は左方へ伸びて左側の前記前側ローラ空間の中に入り、且つ左側の前記前側ローラ空間の左右側壁と回転可能に連結され、前記後側ローラ空間の左右側壁にはローラ軸が回転可能に連結され、前記ローラ軸には後側ローラが固定的に設置されている。
【０００８】
好ましくは、前記ゴム輪は比較的に大きい摩擦力がある。
【０００９】
好ましくは、前記圧迫ばねは終始圧縮状態にある。
【発明の効果】
【００１０】
本願発明の有益効果は：今まで腕金は主に作業員が電信柱を登って装着され、登りと装着の作業において極大のリスクが潜んでおり、本装置は昇降操作で配置高度を調節でき、作業員が登って装着する必要はなく、手間を省き、作業員の怪我をする可能性をなくし、また、腕金を二本の電信柱で水平になるように装着する必要があり、人力で装着すると水準器を使用しても必ずしも同一高度を保証できなく、本願装置は装着過程において左右部分を完全に水平状態にさせ、精度を保証でき、普及する価値がある。
【図面の簡単な説明】
【００１１】
下記に図１〜６をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１２】
【図１】図１は本願発明の変圧器取付用腕金の取付装置の全体全断面の正面構成模式図
【図２】図２は本願発明における図１のＡ―Ａ方向からの断面図
【図３】図３は本願発明における図１のＢ―Ｂ方向からの断面図
【図４】図４は本願発明における図１のＣ―Ｃ方向からの断面図
【図５】図５は本願発明における図２のＤ―Ｄ方向からの断面図
【図６】図６は本願発明における図２のＥ―Ｅ方向からの断面図
【発明を実施するための形態】
【００１３】
図１〜６を参照し、本願発明の変圧器取付用腕金の取付装置の実施例は、主体２０を含み、前記主体２０の中には昇降空間２２が設置され、前記昇降空間２２の中には昇降体２４がスライド可能に連結され、前記昇降体２４の中には横空間２５が設置され、前記横空間２５の頂壁には底辺空間４５が左右対称的に設置され、前記底辺空間４５の上側には液圧空間４３が設置され、前記液圧空間４３の下側は空気空間４４と連通し、前記空気空間４４の後側壁には前記昇降体２４の後側面と連通する通気孔６３が設置され、前記昇降空間２２と前記空気空間４４との間には調整装置１０１が設置され、前記調整装置１０１は装着前に調整を行い、前記調整装置１０１は前記空気空間４４と前記液圧空間４３との連通部に固定的に装着された三ポート弁４２を含み、前記空気空間４４の中には液圧板６４がスライド可能に連結され、前記液圧空間４３の底壁と前記底辺空間４５との間にはＺ型ブロック４１が左右対称的に、且つスライド可能に連結され、各前記Ｚ型ブロック４１の下側には前記横空間２５の内壁とスライド可能に連結されたスライダ４０が左右対称的に、且つ固定的に連結され、各前記スライダ４０の中にはスライド空間２６が設置され、二つの前記スライド空間２６の間には工型ブロック６５がスライド可能に連結され、前記工型ブロック６５と各前記スライド空間２６の片側壁との間には復帰ばね２７が連結され、前記スライダ４０には側辺ブロック３３が左右対称的に、且つ固定的に設置され、各前記液圧空間４３の下側には下側ブロック２８が固定的に設置され、各前記液圧空間４３の中には側辺空間３４が前後対称的に設置され、二つの前記側辺空間３４の間にはプーリ空間３９が設置され、前記下側ブロック２８の中には前記プーリ空間３９と連通する開口空間２９が設置され、前記開口空間２９と前記プーリ空間３９との間には装着装置１０２が設置され、前記主体２０の下側には前側ローラ空間５７が左右対称的に設置され、前記主体２０の後側には後側ローラ空間６０が設置され、前記後側ローラ空間６０と前記昇降空間２２との間には補助装置１０３が設置されている。
【００１４】
また、一つの実施例において、前記装着装置１０２は前記プーリ空間３９の前後側壁に回転可能に連結されたネジ山軸３８を含み、前記ネジ山軸３８は両側へ伸びて前記側辺空間３４の中に入り、且つ両側の前記側辺空間３４において前記プーリ空間３９から離れた側壁と回転可能に連結され、前記開口空間２９の前後側壁には前記ネジ山軸３８と対応した回転軸３０が回転可能に連結され、前記回転軸３０と前記ネジ山軸３８にはプーリ３１が上下対称的に、且つ固定的に設置され、二つの前記プーリ３１の間にはベルト６６が連結され、前記回転軸３０には電信柱と接触するゴム輪３２が固定的に設置され、前記ネジ山軸３８にはスクリュー３７が前後対称的に、且つ固定的に設置され、各前記スクリュー３７には装着体３５が噛み合い、前記装着体３５は前記側辺空間３４とスライド可能に連結され、後側の前記装着体３５の中にはばね空間４７が設置され、前記ばね空間４７の前側壁と前記装着体３５の前側面との間には挟みブロック４８がスライド可能に連結され、前記挟みブロック４８は腕金の一端を固定でき、前記挟みブロック４８の側面と前記ばね空間４７の前側壁との間には圧迫ばね４６が上下対称的に連結され、前側の前記装着体３５の中にはスプロケット空間５３が設置され、前記スプロケット空間５３の後側には装着モータ５１が固定的に設置され、前記装着モータ５１の後側にはモータ軸４９が伝動可能に連結され、前記モータ軸４９は前記スプロケット空間５３の後側壁と回転可能に連結され、前記モータ軸４９は後方へ伸びて前記側辺空間３４の中に入り、且つ前側の前記装着体３５の後側面と回転可能に連結され、前記スプロケット空間５３の前後側壁には三つのスプロケット軸５４が回転可能に連結され、三つの前記スプロケット軸５４は前記モータ軸４９に対応し、前記スプロケット軸５４は後方へ伸びて前記側辺空間３４の中に入り、且つ前側の前記装着体３５の後側面と回転可能に連結され、三つの前記スプロケット軸５４と前記モータ軸４９とは矩形であり、前記モータ軸４９と前記スプロケット軸５４には四つのスプロケット５０が対応するように固定的に設置され、四つの前記スプロケット５０の間にはチェーン５２が連結され、前記モータ軸４９と前記スプロケット軸５４の後側にはネジを置くことができる磁性ブロック５５が固定的に設置され、前記スライダ４０と前記側辺ブロック３３との上昇過程において、前記ゴム輪３２は電信柱と接触し、そして前記ゴム輪３２が回転し、前記回転軸３０と前記プーリ３１とを駆動して回転させ、さらに前記ネジ山軸３８と前記スクリュー３７とを駆動して回転させ、そして前記装着体３５は駆動されて前記プーリ空間３９の方向へ移動し、前記挟みブロック４８と前記モータ軸４９とを駆動して指定位置に至らせ、前記装着モータ５１を作動させ、前記モータ軸４９と前記スプロケット軸５４とを駆動して回転させ、さらに前記磁性ブロック５５を駆動して回転させ、ネジで前記挟みブロック４８に置かれた腕金を固定する。
【００１５】
また、一つの実施例において、前記補助装置１０３は前記昇降空間２２の底壁に固定的に装着された昇降電動機２１を含み、前記昇降電動機２１の上側には前記昇降体２４とネジ山で連結された昇降軸２３が伝動可能に連結され、右側の前記前側ローラ空間５７の右側壁にはローラモータ５９が固定的に設置され、前記ローラモータ５９の左側には動力軸５６が伝動可能に連結され、前記動力軸５６は右側の前記前側ローラ空間５７の左側壁と回転可能に連結され、前記動力軸５６は左方へ伸びて左側の前記前側ローラ空間５７の中に入り、且つ左側の前記前側ローラ空間５７の左右側壁と回転可能に連結され、前記後側ローラ空間６０の左右側壁にはローラ軸６２が回転可能に連結され、前記ローラ軸６２には後側ローラ６１が固定的に設置され、前記ローラモータ５９を作動させ、前記動力軸５６と前記前側ローラ５８とを駆動して回転させ、前記主体２０を指定位置に至らせ、前記昇降軸２３を作動させ、前記昇降体２４を駆動して上昇させる。
【００１６】
また、一つの実施例において、前記ゴム輪３２は比較的に大きい摩擦力があり、前記回転軸３０を駆動して回転させることができる。
【００１７】
また、一つの実施例において、前記圧迫ばね４６は終始圧縮状態にあり、ネジの固定に便利を与える。
【００１８】
変圧器に腕金を装着する時、ローラモータ５９を作動させ、動力軸５６と前側ローラ５８とを駆動して回転させ、主体２０を指定位置に至らせ、一つの腕金を挟みブロック４８に置き、ネジ要りの側が外方に向き、三ポート弁４２を作動させ、左側の液圧空間４３の中の作動油を空気空間４４の中へ送り、左側のスライダ４０を適した位置まで調節し、三ポート弁４２を作動させ、右側の液圧空間４３の中の作動油を空気空間４４の中へ送り、右側のスライダ４０を適した位置まで調節し、昇降軸２３を作動させ、昇降体２４を駆動して上昇させ、さらにスライダ４０と側辺ブロック３３とが上昇し、ゴム輪３２は電信柱と接触し、そしてゴム輪３２が回転し、回転軸３０とプーリ３１とを駆動して回転させ、さらにネジ山軸３８とスクリュー３７とを駆動して回転させ、装着体３５は駆動されてプーリ空間３９の方向へ移動し、挟みブロック４８とモータ軸４９とを駆動して指定位置に至らせ、装着モータ５１を作動させ、モータ軸４９とスプロケット軸５４とを駆動して回転させ、さらに磁性ブロック５５を駆動して回転させ、ネジで挟みブロック４８に置かれた腕金を固定する。
【００１９】
本願発明の有益効果は：今まで腕金は主に作業員が電信柱を登って装着され、登りと装着の作業において極大のリスクが潜んでおり、本装置は昇降操作で配置高度を調節でき、作業員が登って装着する必要はなく、手間を省き、作業員の怪我をする可能性をなくし、また、腕金を二本の電信柱で水平になるように装着する必要があり、人力で装着すると水準器を使用しても必ずしも同一高度を保証できなく、本願装置は装着過程において左右部分を完全に水平状態にさせ、精度を保証でき、普及する価値がある。
【００２０】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【要約】
【課題】本願発明は変圧器の腕金に対する装着装置を開示した。
【解決手段】
主体を含み、前記主体の中には昇降空間が設置され、前記昇降空間の中には昇降体がスライド可能に連結され、前記昇降体の中には横空間が設置され、前記横空間の頂壁には底辺空間が左右対称的に設置され、前記底辺空間の上側には液圧空間が設置され、前記液圧空間の下側は空気空間と連通し、本装置は昇降操作で配置高度を調節でき、作業員が登って装着する必要はなく、手間を省き、作業員の怪我をする可能性をなくし、また、腕金を二本の電信柱で水平になるように装着する必要があり、人力で装着すると水準器を使用しても必ずしも同一高度を保証できなく、本願装置は装着過程において左右部分を完全に水平状態にさせ、精度を保証でき、普及する価値がある。
【選択図】図１【図１】
0006859539.tif 000002
【図２】
0006859539.tif 000003
【図３】
0006859539.tif 000004
【図４】
0006859539.tif 000005
【図５】
0006859539.tif 000006
【図６】
0006859539.tif 000007